(57)【要約】      （修正有）【課題】上部出口と下部出口とを備え、上部出口と下部出口とから水と湯とを独立して供給する態様と、上部出口および下部出口の双方から水を供給する態様と、上部出口および下部出口の双方から湯を供給する態様とを、択一的に選定する手段を提供する。【解決手段】外筒２３に内設された本体１４に水流入孔１１、湯流入孔１２および湯水流出口が独立して軸方向に貫通形成された湯水混合栓用分岐水栓１０であって、上側の輪溝１５，２８には上部出口３０が、下側の輪溝１６，２９には下部出口３４が連通形成され、横孔を選択的に閉塞する着脱部材４２の着脱位置に対応して、上部出口３０と下部出口３４とから水と湯とを独立して供給する態様と、上部出口３０および下部出口３４の双方から水を供給する態様と、上部出口３０および下部出口３４の双方から湯を供給する態様とを、択一的に選定すべく構成したことを特徴とする。【選択図】図５
2006089985.tif 000002
【特許請求の範囲】
【請求項１】
外筒に内設された分岐栓本体に水流入孔、湯流入孔および湯水流出口が独立して軸方向に貫通形成された湯水混合栓用分岐水栓であって、
上記分岐栓本体の外周と、外筒の内周との少なくとも何れか一方には上下の輪溝が離間形成され、
上記水流入孔および湯流入孔には該孔と上下の輪溝とをそれぞれ別々に連通する横孔が形成される一方、
上側の輪溝には上部出口が、下側の輪溝には下部出口が連通形成され、
上記横孔を選択的に閉塞する着脱部材の着脱位置に対応して、
上部出口と下部出口とから水と湯とを独立して供給する態様と、上部出口および下部出口の双方から水を供給する態様と、上部出口および下部出口の双方から湯を供給する態様とを、択一的に選定すべく構成した
湯水混合栓用分岐水栓。
【請求項２】
上記着脱部材は水流入孔または湯流入孔に着脱可能に挿入される筒軸状のブッシュに設定された
請求項１記載の湯水混合栓用分岐水栓。
【請求項３】
上記着脱部材は横孔に着脱可能に挿入されるプラグに設定された
請求項１記載の湯水混合栓用分岐水栓。
【請求項４】
上記外筒は分岐栓本体の外周に回転可能に外嵌された
請求項１〜３の何れか１に記載の湯水混合栓用分岐水栓。
【発明の詳細な説明】
【技術分野】
【０００１】
この発明は、横向き分岐口をもったシングルレバー式の湯水混合栓用分岐水栓に関する。
【背景技術】
【０００２】
従来、上述例の湯水混合栓用分岐水栓は、外筒（いわゆるハブ）に内設された分岐栓本体に対して水流入孔（詳しくは水道水流入孔）と、湯流入孔（詳しくは熱湯流入孔）と、湯水流出口とが独立して軸方向に貫通形成されており、外筒には水流入孔または湯流入孔の何れか一方のみに連通する分岐口が形成されていた。
【０００３】
このため、上記分岐口からは水または湯の何れか一方のみが分岐流出可能であり、水と湯とを同時に分岐流出することができないので、仮に食器洗い乾燥機に湯（熱湯）を供給した場合には、浄水器に対して水（水道水）を供給することができなかった。
【０００４】
このような問題点を解決するために、本出願人は特許文献１に記載の２つの横向き分岐口をもったシングルレバー式の湯水混合栓を既に発明した。  
すなわち、この湯水混合栓は、上記外筒に２つの分岐口を形成し、一方の分岐口を分岐栓本体に形成した横孔を介して同本体内の水流入孔に連通接続し、他方の分岐口を分岐栓本体に形成した他の横孔を介して同本体内の湯流入孔に連通接続して、２つの分岐口から水と湯とを独立して分岐流出させて、外部の水使用機器に水と湯とを同時に分岐供給することができるものである。
【０００５】
特許文献１で開示したこの従来構造においては一方の分岐口から水を供給し、他方の分岐口から湯を供給することができる利点がある反面、外部の水使用機器として浄水器と、水道水による食器洗い機とを設置した場合には何れの分岐口からも水を供給する必要があるが、これに対応して双方の分岐口から共に水を供給することが不可能であり、また、外部の水使用機器として熱湯殺菌タイプの食器洗い乾燥機と、湯を必要とする他の水使用機器とを設置した場合には何れの分岐口からも湯を供給する必要があるが、これに対応して双方の分岐口から共に湯を供給することが不可能であった。  
【特許文献１】特開２００２−８８８３３号公報
【発明の開示】
【発明が解決しようとする課題】
【０００６】
この発明は、横向き分岐口としての上部出口と下部出口とを備え、上部出口と下部出口とから水と湯とを独立して供給する態様と、上部出口および下部出口の双方から水を供給する態様と、上部出口および下部出口の双方から湯を供給する態様とを、択一的に選定することができ、ニーズに対応して汎用性の拡大を図ることができる湯水混合栓用分岐水栓の提供を目的とする。
【課題を解決するための手段】
【０００７】
この発明による湯水混合栓用分岐水栓は、外筒に内設された分岐栓本体に水流入孔、湯流入孔および湯水流出口が独立して軸方向に貫通形成された湯水混合栓用分岐水栓であって、上記分岐栓本体の外周と、外筒の内周との少なくとも何れか一方には上下の輪溝が離間形成され、上記水流入孔および湯流入孔には該孔と上下の輪溝とをそれぞれ別々に連通する横孔が形成される一方、上側の輪溝には上部出口が、下側の輪溝には下部出口が連通形成され、上記横孔を選択的に閉塞する着脱部材の着脱位置に対応して、上部出口と下部出口とから水と湯とを独立して供給する態様と、上部出口および下部出口の双方から水を供給する態様と、上部出口および下部出口の双方から湯を供給する態様とを、択一的に選定すべく構成したものである。
【０００８】
上記構成によれば、水流入孔側の上下の横孔のうちの一方を着脱部材で閉塞すると共に、湯流入孔側の上下の横孔のうち他方を着脱部材で閉塞すると、水は水流入孔から閉塞されていない残りの横孔を介して他方の輪溝に流出し、湯は湯流入孔から閉塞されていない残りの横孔を介して一方の輪溝に流出するので、これらの輪溝に連通する上部出口と下部出口とから水と湯とを独立して供給することができる。
【０００９】
また、水流入孔側の上下の横孔を共に開放すると共に、湯流入孔側の上下の横孔を着脱部材にて共に閉塞すると、水は水流入孔から横孔を介して輪溝に流出するので、これらの輪溝に連通する上部出口と下部出口との双方から水を供給することができる。
【００１０】
さらに、湯流入孔側の上下の横孔を共に開放すると共に、水流入孔側の上下の横孔を着脱部材にて共に閉塞すると、湯は湯流入孔から横孔を介して輪溝に流出するので、これらの輪溝に連通する上部出口と下部出口との双方から湯を供給することができる。
【００１１】
このように、上部出口と下部出口とから水と湯とを独立して供給する態様と、上部出口および下部出口の双方から水を供給する態様と、上部出口および下部出口の双方から湯を供給する態様とを、択一的に選定することができるので、ニーズに対応して汎用性の拡大を図ることができる。
【００１２】
この発明の一実施態様においては、上記着脱部材は水流入孔または湯流入孔に着脱可能に挿入される筒軸状のブッシュに設定されたものである。  
上記構成によれば、ブッシュを水流入孔または湯流入孔に挿入して横孔を選択的に閉塞することで、上記各態様を確保することができ、また水流入孔または湯流入孔を流動する水道水や熱湯の圧力によりブッシュの位置ずれが生ずることがない。
【００１３】
この発明の一実施態様においては、上記着脱部材は横孔に着脱可能に挿入されるプラグに設定されたものである。  
上記構成によれば、プラグで横孔を選択的に閉塞することで、上記各態様を確保することができ、さらにプラグ挿入による水流入孔または湯流入孔の通路断面積の低下を抑制することができる。
【００１４】
この発明の一実施態様においては、上記外筒は分岐栓本体の外周に回転可能に外嵌されたものである。  
上記構成によれば、上部出口および下部出口を任意の方向に回転調整することができるので、水使用機器の設置レイアウトの自由度の向上を図ることができる。
【発明の効果】
【００１５】
この発明によれば、横向き分岐口としての上部出口と下部出口とを備え、上部出口と下部出口とから水と湯とを独立して供給する態様と、上部出口および下部出口の双方から水を供給する態様と、上部出口および下部出口の双方から湯を供給する態様とを、択一的に選定することができ、ニーズに対応して汎用性の拡大を図ることができる効果がある。
【発明を実施するための最良の形態】
【００１６】
この発明の一実施例を以下図面に基づいて詳述する。  
図面はシングルレバー式の湯水混合栓用分岐水栓を示し、図１に実線で示すこの分岐水栓１０は同図に仮想線で示す混合栓本体１の立上り部１ａと、カートリッジ２との間に介設されるものである。上述のカートリッジ２はその上部に作動部３を有すると共に、このカートリッジ２はカバーナット４により分岐水栓１０の上部に締付け固定される。
【００１７】
また、カートリッジ２上部の作動部３は操作レバー５（いわゆるレバーハンドル）にて操作されるように構成する一方、混合栓本体１の立上り部１ａの外周にはスパウト６の基部６ａが回動自在に装着されている。
【００１８】
ここで、上述の混合栓本体１は水道管に連通する水道水通路と、ボイラ等に連通する熱湯通路とを有し、水または熱湯は図１に矢印ａで示すように分岐水栓１０（詳しくは後述する水流入孔１１または湯流入孔１２参照）を介して上方へ流動し、操作レバー５にてカートリッジ２上部の作動部３を操作した時に、水道水をそのまま、または熱湯をそのまま、あるいは水道水と熱湯とを混合した温調流体を流出液体（混合流体）として図１に矢印ｂで示すように一旦、混合栓本体１の立上り部１ａ内に流下させた後に、矢印ｃで示すようにスパウト６から供給し得るように構成している。
【００１９】
図２は分岐水栓１０の平面図、図３は図２のＡ−Ａ線矢視断面図、図４は図２のＢ−Ｂ線に沿う部分断面図である。  
図２、図３、図４において水流入孔１１（詳しくは水道水流入孔）と湯流入孔１２（詳しくは熱湯流入孔）と湯水流出口１３とが独立して軸方向に貫通形成された円柱状の分岐栓本体１４（以下単に本体と略記する）を設け、この本体１４の外周には２つの輪溝１５，１６を上下に離間形成している。
【００２０】
また図３に示すように、上側の輪溝１５と水流入孔１１とを横孔１７で連通させると共に、下側の輪溝１６と水流入孔１１とを横孔１８で連通させている（但し、図３においてはブッシュ４０を挿入した状態で図示している）。
【００２１】
さらに図４に示すように、上側の輪溝１５と湯流入孔１２とを横孔１９で連通させると共に、下側の輪溝１６と湯流入孔１２とを横孔２０で連通させている（但し、図４もおいてはブッシュ４１を挿入した状態で図示している）。  
ここで、上述の本体１４の上面部にはカートリッジ２を位置決めするための２つのピン孔２１，２１を形成し、このピン孔２１，２１と対向して本体１４の下面部には２つのノックピン２２，２２を一体的に突設し、このノックピン２２，２２により本体１４を混合栓本体１の立上り部１ａに位置決めすべく構成している。
【００２２】
上述の本体１４の外周にはリング状の外筒いわゆるハブ２３を回転可能に外嵌合している。このハブ２３の上部外周には図１で示したカバーナット４を取付けるためのネジ部２４を形成し、ハブ２３の下部外周には取付けリング２５を介して取付けナット２６を回転自在に設け、この取付けナット２６のネジ孔２７を用いて本体１４を混合栓本体１の立上り部１ａに締結固定すべく構成している。
【００２３】
上述のハブ２３の内周には本体１４側の輪溝１５，１６と一致するように、輪溝２８，２９を上下に離間形成し、上側の輪溝２８には上部出口３０を形成し、この上部出口３０と同一軸芯上もおいて横方向に連続するネジ孔３１にはブッシュ３２を介して袋ナット３３を回転自在に取付けて、これら各要素３０，３１，３２，３３により横向き分岐口を形成している。
【００２４】
上述のハブ２３の下端部外周にはＯリング溝を形成し、このＯリング溝にシール部材としてのＯリング３８を嵌着して、ハブ２３と取付けナット２６との間をシールするように構成している。
【００２５】
また上述の上下の輪溝１５，１６の上下両サイドと対応するように本体１４の外周部にはＯリング溝を形成し、このＯリング溝にシール部材としてのＯリング３９を嵌着して、本体１４とハブ２３との間をシールするように構成している。
【００２６】
この実施例では横孔１７，１８，１９，２０を選択的に閉塞する着脱部材として、水流入孔１１または湯流入孔１２に着脱可能に挿入される筒軸状の３種類のブッシュ４０，４１，４２（図３〜図６参照）を設けている。
【００２７】
図３に示すブッシュ４０は水流入孔１１に挿入され、横孔１８を閉塞する所定長さに設定されている。このブッシュ４０の下端部には鍔部が形成され、この鍔部が本体１４の段差孔にて係止めされると共に、ブッシュ４０外周の所定複数箇所に形成されたＯリング溝にはＯリング４３を嵌着して、水流入孔１１の内壁とブッシュ４０外壁との間をシールするように構成している。
【００２８】
図４に示すブッシュ４１は湯流入孔１２に挿入され、横孔１９を閉塞する所定長さに設定されると共に、横孔２０と対応する部分には開口部が形成されている。図４に示す実施例ではブッシュ４１の横孔２０と対応する部分に円周上９０度の等間隔で合計４つの丸孔形状の孔部４４…を形成して開口部と成しているが、これは、円周上１２０度の等間隔で合計３つの孔部と成してもよく、また単一または複数の円形孔、長円孔と成してもよい。
【００２９】
このブッシュ４１の外径部は湯流入孔１２と対応するよう段差形状に形成され、湯流入孔１２の段差部にて係止されると共に、ブッシュ４１外周の所定複数箇所に形成されたＯリング溝にはＯリング４５を嵌着して、湯流入孔１２の内壁とブッシュ４１外壁との間をシールするように構成している。なお、図４において、６０は湯水流出口１３の下部に設けられたパッキングである。
【００３０】
図５、図６に示すブッシュ４２は湯流入孔１２または水流入孔１１に挿入され、ブッシュ４２が挿入された流入孔の上下の横孔１９，２０または横孔１７，１８を同時に閉塞する所定長さに設定されている。このブッシュ４２の外径部は流入孔１１，１２と対応するように段差形状に形成され、流入孔１１，１２の段差部にて係止めされると共に、ブッシュ４２外周の所定複数箇所に形成されたＯリング溝にはＯリング４６を嵌着して、流入孔１１，１２の内壁とブッシュ４２外壁との間をシールするように構成している。
【００３１】
これら３種類のブッシュ４０，４１，４２は何れも本体１４の下方から対応する水流入孔１１または湯流入孔１２に着脱可能に挿入され、ブッシュ４０，４１，４２下端部にはパッキング４７が配設される。なお、使用側の流入孔１１または１２の下部には短寸のブッシュ６１およびパッキング６２が装着される。
【００３２】
このように構成した湯水混合栓用分岐水栓の作用を以下に詳述する。  
まず、上部出口３０と下部出口３４とから水と湯とを独立して供給する場合には、図３に示すように、水流入孔１１にブッシュ４０を挿入して、このブッシュ４０で水流入孔１１側の上下の横孔１７，１８のうち下部の横孔１８をブッシュ４０で閉塞すると共に、図４に示すように、湯流入孔１２にブッシュ４１を挿入して、このブッシュ４１で湯流入孔１２側の上下の横孔１９，２０のうち上部の横孔１９をブッシュ４１で閉塞する。
【００３３】
このように本体１４に上記２つのブッシュ４０，４１を挿入すると、水道水は図３に示すようにブッシュ４０内、水流入孔１１、横孔１７，上側の輪溝１５，２８を介して上部出口３０から流出し、熱湯は図４に示すようにブッシュ４１内、孔部４４、横孔２０、下側の輪溝１６，２９を介して下部出口３４から流出する。
【００３４】
この結果、上部出口３０から水を、下部出口３４から湯をそれぞれ独立して供給することができる。  
次に、上部出口３０および下部出口３４の双方から水を供給する場合には、図３、図４で示したブッシュ４０，４１を共に取外した後に、湯流入孔１２に図５に示すようにブッシュ４２を挿入して、このブッシュ４２で湯流入孔１２側の上下の横孔１９，２０を共に閉塞する。
【００３５】
このように湯流入孔１２にブッシュ４２を挿入すると、水道水は図５に示すように、水流入孔１１、上下の横孔１７，１８、上下の輪溝１５，１６，２８，２９を介して上部出口３０および下部出口３４から流出する。この結果、上部出口３０および下部出口３４の双方から水を供給することができる。
【００３６】
次に、上部出口３０および下部出口３４の双方から湯を供給する場合には、図５で示したブッシュ４２を取外した後に、このブッシュ４２を図６に示すように水流入孔１１に挿入して、このブッシュ４２で水流入孔１１側の上下の横孔１７，１８を共に閉塞する。
【００３７】
このように水流入孔１１にブッシュ４２を挿入すると、熱湯は図６に示すように、湯流入孔１２、上下の横孔１９，２０、上下の輪溝１５，１６，２８，２９を介して上部出口３０および下部出口３４から流出する。この結果、上部出口３０および下部出口３４の双方から湯を供給することができる。
【００３８】
このように、図１〜図６で示した実施例の湯水混合栓用分岐水栓１０は、ハブ２３に内設された本体１４に水流入孔１１、湯流入孔１２および湯水流出口１３が独立して軸方向に貫通形成された湯水混合栓用分岐水栓１０であって、上記本体１４の外周と、ハブ２３の内周との少なくとも何れか一方には上下の輪溝１５，１６，２８，２９が離間形成され、上記水流入孔１１および湯流入孔１２には該孔と上下の輪溝１５，１６，２８，２９とをそれぞれ別々に連通する横孔１７，１８，１９，２０が形成される一方、上側の輪溝１５，２８には上部出口３０が、下側の輪溝１６，２９には下部出口３４が連通形成され、上記横孔を選択的に閉塞する着脱部材としてのブッシュ４０，４１，４２の着脱位置に対応して、上部出口３０と下部出口３４とから水と湯とを独立して供給する態様（図３、図４参照）と、上部出口３０および下部出口３４の双方から水を供給する態様（図５参照）と、上部出口３０および下部出口３４の双方から湯を供給する態様（図６参照）とを、択一的に選定すべく構成したものである。
【００３９】
この構成によれば、図３に示すように水流入孔１１側の上下の横孔１７，１８のうちの一方１８を着脱部材としてのブッシュ４０で閉塞すると共に、図４に示すように湯流入孔１２側の上下の横孔１９，２０のうち他方１９を着脱部材としてのブッシュ４１で閉塞すると、水は水流入孔１１から閉塞されていない残りの横孔１７を介して他方の輪溝１５，２８に流出し、湯は湯流入孔１２から閉塞されていない残りの横孔２０を介して一方の輪溝１６，２９に流出するので、これらの輪溝に連通する上部出口３０と下部出口３４とから水と湯とを独立して供給することができる。
【００４０】
また、図５に示すように、水流入孔１１側の上下の横孔１７，１８を共に開放すると共に、湯流入孔１２側の上下の横孔１９，２０を着脱部材としてのブッシュ４２にて共に閉塞すると、水は水流入孔１１から横孔１７，１８を介して輪溝１５，１６，２８，２９に流出するので、これらの輪溝に連通する上部出口３０と下部出口３４との双方から水を供給することができる。
【００４１】
さらに、図６に示すように湯流入孔１２の上下の横孔１９，２０を共に開放すると共に、水流入孔１１側の上下の横孔１７，１８を着脱部材としてのブッシュ４２にて共に閉塞すると、湯は湯流入孔１２から横孔１９，２０を介して輪溝１５，１６，２８，２９に流出するので、これらの輪溝に連通する上部出口と３０下部出口３４との双方から湯を供給することができる。
【００４２】
このように、上部出口３０と下部出口３４とから水と湯とを独立して供給する態様（図３、図４参照）と、上部出口３０および下部出口３４の双方から水を供給する態様（図５参照）と、上部出口３０および下部出口３４の双方から湯を供給する態様（図６参照）とを、択一的に選定することができるので、ニーズに対応して汎用性の拡大を図ることができる。
【００４３】
また、上記着脱部材は水流入孔１１または湯流入孔１２に着脱可能に挿入される筒軸状のブッシュ４０，４１，４２に設定されたものである。  
この構成によれば、ブッシュ４０，４１，４２を水流入孔１１または湯流入孔１２に挿入して横孔１７，１８，１９，２０を選択的に閉塞することで、上記各態様を確保することができ、また水流入孔１１または湯流入孔１２を流動する水道水や熱湯の圧力によりブッシュ４０，４１，４２の位置ずれが生ずることがない。
【００４４】
さらに、ハブ２３は本体１４の外周に回転可能に外嵌されたものであるから、上部出口３０および下部出口３４を任意の方向に回転調整することができ、また分岐水栓１０と混合栓本体１およびカートリッジ２等との組付け完了後には調整された位置に固定することができる。
【００４５】
この結果、浄水器、水道水による食器洗い機、熱湯殺菌タイプの食器洗い乾燥機その他の水使用機器の設置レイアウトの自由度の向上を図ることができる。
【００４６】
図７〜図１２は湯水混合栓用分岐水栓の他の実施例を示すものである。  
図１〜図６で示した先の実施例においては着脱部材としてのブッシュ４０，４１，４２を用いたが、図７〜図１２で示すこの実施例においては着脱部材として横孔１７，１８，１９，２０に選択的かつ着脱可能に挿入されるプラグ５０を用いるものである。なお、図７〜図１２において前図と同一の部分には同一符号を付して、その詳しい説明を省略するが、図７〜図１２の実施例にあっては本体１４に複雑な段差を有さない水流入孔１１、湯流入孔１２が形成されている。
【００４７】
また上述のプラグ５０は横孔１７〜２０の内周に対応する軸部の外周にＯリング溝を形成し、このＯリング溝にＯリング５１を嵌着して、このＯリング５１にて横孔内周とプラグ５０の軸部外周との間をシールすべく構成すると共に、軸部内端には球面部を一体形成し、軸部外端には横孔外部の段部に係止されるフランジ部５２を一体形成している。
【００４８】
さらに、ブラグ５０に対して該プラグ５０を外方へ押出す方向の水圧が作用した時、ハブ２３側の上下の輪溝２８，２９の溝縁部でプラグ５０のフランジ部５２を受け止め、該ブラグ５０による横孔の閉塞性を確保すべく構成している。
【００４９】
このプラグ５０着脱による湯水混合栓用分岐水栓の作用を以下に詳述する。  
まず、上部出口３０と下部出口３４とから水と湯とを独立して供給する場合には、図１０に示すように、水流入孔１１側の上下の横孔１７，１８のうち下部の横孔１８をプラグ５０で閉塞すると共に、湯流入孔１２側の上下の横孔１９，２０のうち上部の横孔１９をプラグ５０で閉塞する。
【００５０】
このように横孔１８，１９に上記２つのプラグ５０，５０を挿入すると、水道水は図１０に示すように水流入孔１１、横孔１７，上側の輪溝１５，２８を介して上部出口３０から流出し、熱湯は図１０に示すように湯流入孔１２、横孔２０、下側の輪溝１６，２９を介して下部出口３４から流出する。
【００５１】
この結果、上部出口３０から水を、下部出口３４から湯をそれぞれ独立して供給することができる。  
次に、上部出口３０および下部出口３４の双方から水を供給する場合には、図１１で示すように２つのプラグ５０，５０で湯流入孔１２側の上下の横孔１９，２０を共に閉塞する。
【００５２】
このように横孔１９，２０にプラグ５０，５０を挿入すると、水道水は図１１に示すように、水流入孔１１、上下の横孔１７，１８、上下の輪溝１５，１６，２８，２９を介して上部出口３０および下部出口３４から流出する。この結果、上部出口３０および下部出口３４の双方から水を供給することができる。
【００５３】
次に、上部出口３０および下部出口３４の双方から湯を供給する場合には、図１２で示すように２つのプラグ５０，５０で、水流入孔１１側の上下の横孔１７，１８を共に閉塞する。
【００５４】
このように横孔１７，１８にプラグ５０，５０を挿入すると、熱湯は図１２に示すように、湯流入孔１２、上下の横孔１９，２０、上下の輪溝１５，１６，２８，２９を介して上部出口３０および下部出口３４から流出する。この結果、上部出口３０および下部出口３４の双方から湯を供給することができる。
【００５５】
このように、図７〜図１２で示した実施例の湯水混合栓用分岐水栓１０は、ハブ２３に内設された本体１４に水流入孔１１、湯流入孔１２および湯水流出口１３が独立して軸方向に貫通形成された湯水混合栓用分岐水栓１０であって、上記本体１４の外周と、ハブ２３の内周との少なくとも何れか一方には上下の輪溝１５，１６，２８，２９が離間形成され、上記水流入孔１１および湯流入孔１２には該孔と上下の輪溝１５，１６，２８，２９とをそれぞれ別々に連通する横孔１７，１８，１９，２０が形成される一方、上側の輪溝１５，２８には上部出口３０が、下側の輪溝１６，２９には下部出口３４が連通形成され、上記横孔を選択的に閉塞する着脱部材としてのプラグ５０の着脱位置に対応して、上部出口３０と下部出口３４とから水と湯とを独立して供給する態様（図１０参照）と、上部出口３０および下部出口３４の双方から水を供給する態様（図１１参照）と、上部出口３０および下部出口３４の双方から湯を供給する態様（図１２参照）とを、択一的に選定すべく構成したものである。
【００５６】
この構成によれば、図１０に示すように水流入孔１１側の上下の横孔１７，１８のうちの一方１８を着脱部材としてのプラグ５０で閉塞すると共に、湯流入孔１２側の上下の横孔１９，２０のうち他方１９を着脱部材としてのプラグ５０で閉塞すると、水は水流入孔１１から閉塞されていない残りの横孔１７を介して他方の輪溝１５，２８に流出し、湯は湯流入孔１２から閉塞されていない残りの横孔２０を介して一方の輪溝１６，２９に流出するので、これらの輪溝に連通する上部出口３０と下部出口３４とから水と湯とを独立して供給することができる。
【００５７】
また、図１１に示すように、水流入孔１１側の上下の横孔１７，１８を共に開放すると共に、湯流入孔１２側の上下の横孔１９，２０を着脱部材としてのプラグ５０にて共に閉塞すると、水は水流入孔１１から横孔１７，１８を介して輪溝１５，１６，２８，２９に流出するので、これらの輪溝に連通する上部出口３０と下部出口３４との双方から水を供給することができる。
【００５８】
さらに、図１２に示すように、湯流入孔側１２側の上下の横孔１９，２０を共に開放すると共に、水流入孔１１側の上下の横孔１７，１８を着脱部材としてのプラグ５０にて共に閉塞すると、湯は湯流入孔１２から横孔１９，２０を介して輪溝１５，１６，２８，２９に流出するので、これらの輪溝に連通する上部出口と３０下部出口３４との双方から湯を供給することができる。
【００５９】
このように、上部出口３０と下部出口３４とから水と湯とを独立して供給する態様（図１０参照）と、上部出口３０および下部出口３４の双方から水を供給する態様（図１１参照）と、上部出口３０および下部出口３４の双方から湯を供給する態様（図１２参照）とを、択一的に選定することができるので、ニーズに対応して汎用性の拡大を図ることができる。
【００６０】
さらに、上記着脱部材は横孔１７，１８，１９，２０に着脱可能に挿入されるプラグ５０に設定されたものである。  
この構成によれば、プラグ５０で横孔を選択的に閉塞することで、上記各態様を確保することができ、さらにプラグ挿入による水流入孔１１または湯流入孔１２の通路断面積の低下を抑制することができる。加えて、上記プラグ５０としては同一構造のものを用いることができる。  
図７〜図１２で示したこの実施例においても、その他の点について先の実施例と同様の作用、効果を奏するものである。
【００６１】
この発明の構成と、上述の実施例との対応において、  
この発明の外筒は、実施例のハブ２３に対応し、  
以下同様に、  
分岐栓本体は、本体１４に対応し、  
着脱部材は、ブッシュ４０，４１，４２またはプラグ５０に対応するも、  
この発明は、上述の実施例の構成のみに限定されるものではない。
【図面の簡単な説明】
【００６２】
【図１】本発明の湯水混合栓分岐水栓を示す使用状態図。
【図２】分岐水栓の平面図。
【図３】図２のＡ−Ａ線矢視断面図。
【図４】図２のＢ−Ｂ線に沿う分岐栓本体の断面図。
【図５】出口双方から水を供給する態様を示す断面図。
【図６】出口双方から湯を供給する態様を示す断面図。
【図７】他の実施例を示す分岐水栓の平面図。
【図８】図７のＣ−Ｃ線矢視断面図。
【図９】図７のＤ−Ｄ線に沿う分岐栓本体の断面図。
【図１０】出口から水と湯とを供給する態様を示す断面図。
【図１１】出口双方から水を供給する態様を示す断面図。
【図１２】出口双方から湯を供給する態様を示す断面図。
【符号の説明】
【００６３】
１０…分岐水栓
１１…水流入孔
１２…湯流入孔
１３…湯水流出口
１４…本体（分岐栓本体）
１５，１６，２８，２９…輪溝
１７，１８，１９，２０…横孔
２３…ハブ（外筒）
３０…上部出口
３４…下部出口
４０，４１，４２…ブッシュ（着脱部材）
５０…プラグ（着脱部材）
【図１】
2006089985.tif 000003
【図２】
2006089985.tif 000004
【図３】
2006089985.tif 000005
【図４】
2006089985.tif 000006
【図５】
2006089985.tif 000007
【図６】
2006089985.tif 000008
【図７】
2006089985.tif 000009
【図８】
2006089985.tif 000010
【図９】
2006089985.tif 000011
【図１０】
2006089985.tif 000012
【図１１】
2006089985.tif 000013
【図１２】
2006089985.tif 000014